(57)【要約】【課題】本発明は映像機器に使用するスピーカ装置に関するものであり、機器本体への低音用スピーカ装置の搭載を可能として機器の薄型化・小型化の課題を解決するものである。【解決手段】本発明のスピーカ装置は、スピーカユニット１２と、パッシブラジエータ１３と、これらを装着したスピーカボックス１１とで構成されるものであり、スピーカボックス１１のパッシブラジエータ１３側の奥行きを浅くすることで、映像機器の外周側がパッシブラジエータ１３側になるようにスピーカ装置を配置して機器外周の薄型化を図ると共に、機器本体への低音域強調用のスピーカ装置の内蔵を可能として映像機器の小型化に寄与するものである。【選択図】図１
2007259024.tif 000002
【特許請求の範囲】
【請求項１】
スピーカユニットと、パッシブラジエータと、前記スピーカユニットと前記パッシブラジエータを装着するスピーカボックスとで構成されるスピーカ装置であって、前記スピーカボックスの奥行きがスピーカユニット側の端部側よりパッシブラジエータ側の端部側を浅くしたスピーカ装置。
【請求項２】
スピーカボックスの同一面にスピーカユニットとパッシブラジエータを装着した請求項１に記載のスピーカ装置。
【請求項３】
薄型のテレビジョン受像機の少なくとも平板表示部の背面に前記テレビジョン受像機の側端部側がパッシブラジエータとなるように請求項１に記載のスピーカ装置を配置したテレビジョン受像機。
【請求項４】
薄型のテレビジョン受像機の少なくとも平板表示部の背面に前記テレビジョン受像機の両側端部側が夫々パッシブラジエータとなるように請求項１または請求項２に記載のスピーカ装置を少なくとも一対配置したテレビジョン受像機。
【請求項５】
スピーカ装置と平板表示部背面との間に空隙を設け、前記スピーカ装置を装着したテレビジョン受像機のキャビネットの少なくとも側面端部、底面端部、上面端部のいずれかに放音孔を複数個設けた請求項３または請求項４記載のテレビジョン受像機。
【発明の詳細な説明】
【技術分野】
【０００１】
本発明は薄型・大型のテレビジョン受像機等に使用されるパッシブラジエータを有するスピーカ装置およびこのスピーカ装置を用いたテレビジョン受像機に関するものである。
【背景技術】
【０００２】
近年、プラズマや液晶を表示部に用いた大画面・薄型テレビジョン受像機の普及に伴い、音響再生装置に関しても小型化や薄型化が必要とされてきている。それと同時にホームシアターや地上デジタル放送の普及といったメディアの高音質化により音響再生装置に対しても高音質化、高耐入力化が必要とされてきている。
【０００３】
高音質化では、映画などの大迫力を再生するための低音再生技術が必須である。
【０００４】
低音再生技術の例としてパッシブラジエータがあげられる。
【０００５】
図４はパッシブラジエータを有する従来のスピーカ装置の側断面図であり、１は前面に２つの開口を設けたスピーカボックスであり、２はこのスピーカボックス１の一方の開口に装着された磁気回路２ａを有するスピーカユニットであり、３は前記スピーカボックス１の他方の開口にエッジ３ａを介して装着された平板状の振動板からなるパッシブラジエータである。
【０００６】
上記構成のスピーカ装置においては、スピーカユニット２の駆動時のスピーカボックス１内への排圧を利用し、パッシブラジエータ３を駆動し、所定の低音域の増強を図ることができるものである。このような、先行技術文献情報としては、例えば、特許文献１が知られている。
【特許文献１】実開昭５７−２７９０号公報
【発明の開示】
【発明が解決しようとする課題】
【０００７】
大画面薄型テレビジョン受像機などに代表される映像音響機器のプラズマ・液晶テレビなどを用いた高級テレビジョン受像機においては、スピーカ装置を機器本体とは別に設置するものもあるが、設置スペースなどの課題もあり、機器本体の内蔵スピーカ装置の高音質化も望まれている。
【０００８】
しかしながら、従来のパッシブラジエータを用いたスピーカ装置では大型化してしまい、機器本体の薄型化実現のために限られた機器本体のスペースの中でより薄型化することが課題となっていた。
【課題を解決するための手段】
【０００９】
上記課題を解決するために本発明のスピーカ装置は、スピーカユニットと、パッシブラジエータと、前記スピーカユニットと前記パッシブラジエータを装着するスピーカボックスとで構成されるスピーカ装置であって、前記スピーカボックスの奥行きがスピーカユニット側の端部側よりパッシブラジエータ側の端部側を浅くしたものであり、テレビジョン受像機のプラズマディスプレイや液晶のディスプレイ等の平板の表示部の背面にこのスピーカ装置を設置した時、パッシブラジエータ側の端部側を前記平板の表示部の側面端部側とすることで、磁気回路等が必要となるスピーカユニット側をテレビジョン受像機の本体の電源部分等の主要部分が配置されるテレビジョン受像機の厚みの必要な部分に隣接して、磁気回路部を有するスピーカユニット側を配置し、磁気回路部を要さないパッシブラジエータをテレビジョン受像機の厚みの薄い側端部側に配置し、テレビジョン受像機の機器の薄型化に貢献できるとともに、機器の側端部を薄くすることで、機器の薄型化を視覚的にも訴求することに貢献できるものである。
【発明の効果】
【００１０】
以上のように本発明は、薄型・大型の映像音響機器に使用するパッシブラジエータを用いたスピーカ装置において、機器の外側にパッシブラジエータ側を配置することにより、機器の薄型化の実現に寄与するものである。
【発明を実施するための最良の形態】
【００１１】
以下、本発明の一実施の形態について図１から図３により説明する。
【００１２】
（実施の形態１）
以下、本発明の一実施の形態におけるスピーカ装置の主として請求項１および請求項２に記載の発明について説明する。
【００１３】
図１は、本発明の一実施の形態におけるスピーカ装置の上面から見た断面図である。
【００１４】
同図によると、１１は樹脂成形により形成された前面に開口１１ａと開口１１ｂを設けたスピーカボックスであり、図で明らかなように開口１１ｂ側の端部は後面の傾斜部１１ｃによって奥行きが浅くなるように形成されている。
【００１５】
１２はフレーム１２ａを介してねじ（図示せず）によりスピーカボックス１１の開口１１ａに締結固着されたスピーカユニットである。
【００１６】
１３は外周にエッジ１３ａを有する矩形形の平板振動板１３ｂからなるパッシブラジエータであり、このパッシブラジエータ１３は、エッジ１３ａを介して前記スピーカボックス１１の開口１１ｂに装着されている。
【００１７】
以上のように、スピーカユニット１２とパッシブラジエータ１３を装着したスピーカボックスはパッシブラジエータ１３が磁気回路を有さないことに着目し、開口１１ｂ側の後面を傾斜させてパッシブラジエータ側の端部側の奥行きを浅くすることで、スピーカ装置を機器に搭載したとき、機器の外周部（特に側端部）における厚みを薄くして機器の薄型化に貢献できるものである。以上のように、機器本体への内蔵を可能として機器の小型化も可能とするものである。
【００１８】
（実施の形態２）
図２〜図３により実施の形態１で説明したスピーカ装置を用いたテレビジョン受像機の一実施の形態について説明する。
【００１９】
図２はスピーカ装置を搭載したテレビジョン受像機の概念を示す正面図であり、図３は同上面図であり、主として請求項３〜請求項５について説明するものである。
【００２０】
同図によると、２０は正面にプラズマや液晶の平板表示板からなる平板表示部２１を設けたテレビジョン受像機であり、２２はこの平板表示部２１の背面に隙間を設けて配置されたスピーカ装置であり、実施の形態１で説明したスピーカ装置と同構成のスピーカ装置であり、２２ａはスピーカユニット、２２ｂはパッシブラジエータである。
【００２１】
スピーカ装置２２はパッシブラジエータ２２ｂ側を平板表示部２１の左右の側端部側に配置する形で一対設けられている。
【００２２】
一般的に一対のスピーカ装置２２を併設する場合、左右のスピーカユニット２２ａのセパレーションを確保するために、離間させてパッシブラジエータ２２ｂ側を隣接して配置することにするが（パッシブラジエータ２２ｂは指向性の少ない低音域の増強用であり、セパレーションを必要としないため）、本実施の形態では、上述の配置としてパッシブラジエータ２２ｂ側の奥行きを浅くしたことを利用して、テレビジョン受像機の外周の薄型化を実現している。
【００２３】
なお、本実施の形態では、スピーカ装置２２間の間隔をあけることでセパレーションの確保に努めると共に、図示していないが、このスピーカ装置２２間にテレビジョン受像機２０の電源回路等の部品を介在させたり、垂直の桟を設けることでセパレーションの向上を図ることも可能である。
【００２４】
また、スピーカ装置２２と平板表示部２１との隙間はテレビジョン受像機２０のキャビネット２０ａの外周の少なくとも上端部２０ｂまたは側端部２０ｃまたは下端部２０ｄに設けられた複数の放音孔に連続しており、強調された低音域がこの放音孔から外方に放音される。
【００２５】
なお、本実施の形態においては、スピーカ装置２２を一対として用いることを前提に説明したが、同特性の形状の異なるスピーカ装置を一対として配置することも可能である。なお、このときも夫々のスピーカ装置は実施の形態１と同様にパッシブラジエータ側のスピーカボックスの奥行きを浅くしておくことが前提である。
【産業上の利用可能性】
【００２６】
以上のように、本発明のスピーカ装置は、小型化、薄型化、低音再生、高耐入力といった省スペースで高性能が要求される映像音響機器に幅広く適用できるものである。
【図面の簡単な説明】
【００２７】
【図１】本発明の一実施の形態におけるスピーカ装置の上面から見た断面図
【図２】同スピーカ装置を搭載したテレビジョン受像機の概念を示す正面図
【図３】同上面図
【図４】パッシブラジエータを有する従来のスピーカ装置の側断面図
【符号の説明】
【００２８】
１１  スピーカボックス
１１ａ，１１ｂ  開口
１２，２２ａ  スピーカユニット
１３，２２ｂ  パッシブラジエータ
１３ａ  エッジ
２０  テレビジョン受像機
２０ａ  キャビネット
２０ｂ  上端部
２０ｃ  側端部
２０ｄ  下端部
２１  平板表示部
２２  スピーカ装置
【図１】
2007259024.tif 000003
【図２】
2007259024.tif 000004
【図３】
2007259024.tif 000005
【図４】
2007259024.tif 000006